(57)【要約】【課題】防水機能を持たせるとともに、スピーカからの音量によってもビビリ音を出さず、ぶつけたときの衝撃を抑えることができるようにする。【解決手段】緩衝材１６は、前面キャビネット１５ａと後面キャビネット１５ｂの間に配置され、前面キャビネット１５ａと後面キャビネット１５ｂに挟持されている。挟持された状態において、緩衝材１６は、前面キャビネット１５ａと後面キャビネット１５ｂの全外周に当接密着し、さらに表示部１１のキャビネット１５の側面から外側に突出するように形成されている。【選択図】      図２
2004219476.tif 000002
【特許請求の範囲】
【請求項１】
前面キャビネットと後面キャビネットとの間に緩衝材を挟持する構造の薄型表示装置であって、
前記緩衝材は、挟持した場合に前面及び後面キャビネットの外周部分に当接して密着し、かつ前後面キャビネットの全外周から外側に突出していることを特徴とする薄型表示装置。
【請求項２】
前記緩衝材は、キャビネット内部に格納される格納部とキャビネットの外側に突出する突起部とからなり、該突起部の側面が前記キャビネットの端面に当接し、その先端部が前記キャビネットから外側に突出することを特徴とする請求項１に記載の薄型表示装置。
【発明の詳細な説明】
【０００１】
【発明の属する技術分野】
本発明は、前面キャビネットと後面キャビネットにより緩衝材を挟持する薄型表示装置に関し、特に表示部分を持ち運びでき、例えばアウトドアや台所などでも使用できる薄型表示装置に関する。
【０００２】
【従来の技術】
従来、液晶表示装置（例えば、特許文献１参照）においては、図４に示すように、各部品を格納した前面キャビネット（特許文献１においては「カバー」と表現されている）１１１と後面キャビネット１１２とを備え、両者を結合する構造を有している。例えば、前面キャビネット１１１の四隅に結合片１１８を形成し、この結合片１２１の相対する位置に後面キャビネット１１２に係止リブ１３１を形成する。さらに、結合片１２１の板面に係止リブ１３１が係止する係止溝が形成されている。図５に示すように、係止溝に係止リブ１３１が係止することにより、前面キャビネット１１１と後面キャビネット１１２が結合される。
【０００３】
また、前面キャビネット１１１には止着片１２１が複数形成され、後面キャビネット１１２には止着片１２１の離脱を防止する補強リブ１３４が形成されている。
【０００４】
【特許文献１】
２００２−２１５０６１号公報
【０００５】
【発明が解決しようとする課題】
しかしながら、前述の液晶表示装置では、水がキャビネットの内側に進入するのを防止する対策は何もされておらず、防水効果は望めない。このため、台所やアウトドアなど防水を必要とする場所で使用することはできなかった。
また、スピーカの音量を大きくした場合、前後のキャビネットに振動が起こり、いわゆるビビリ音を生じていた。そして、画面にも振動が伝達し、画面の揺れを起こすことがあった。
さらに、液晶表示装置を持ち運びするときに、側面を何かにぶつけることがあり、側面に傷等を生じるとともに、内部に衝撃を与えるおそれもある。
【０００６】
本発明は、斯かる実情に鑑み、液晶ディスプレイやＥＬディスプレイを有する薄型表示装置において、防水機能を持たせるとともに、スピーカからの音量によってもビビリ音を出さず、かつ画面の揺れを防止し、また、ぶつけたときの衝撃を抑えることができる薄型表示装置を提供することを目的とする。
【０００７】
【課題を解決するための手段】
本発明は、前面キャビネットと後面キャビネットとの間に緩衝材を挟持する構造の液晶ディスプレイやＥＬディスプレイを有する薄型表示装置であって、前記緩衝材は、挟持した場合に前面及び後面キャビネットの外周部分に当接して密着し、かつ前後面キャビネットの全外周から外側に突出していることを特徴とする。
【０００８】
また、前記緩衝材は、キャビネット内部に格納される格納部とキャビネットの外側に突出する突起部とからなり、該突起部の側面が前記キャビネットの端面に当接し、その先端部が前記キャビネットから外側に突出することを特徴とする。
【０００９】
【発明の実施の形態】
以下、本発明の実施の形態を添付図面を参照して説明する。
図１〜図３は本発明を実施する形態の一例である。図１は、本発明に係る液晶表示装置を示す正面図、図２はこの液晶表示装置を示す分解斜視図、図３はこの液晶表示装置を示す要部断面図である。なお、実施形態では映像、画像等の情報を表示する表示装置として、液晶表示装置を例に示すが、有機ＥＬ、プラズマディスプレイ等の薄型表示装置にも用いることができる。
【００１０】
この液晶表示装置１０は、表示部１１とスタンド部１２からなり、表示部１１は図２に示すように、前面キャビネット１５ａと、緩衝材１６と、後面キャビネット１５ｂとを備えた構成である。前面キャビネット１５ａには、液晶パネル１４、スピーカ１７等の部品が格納されている。この前面及び後面キャビネット１５ａ，１５ｂの左右には、略半円形のスピーカ格納部１３が形成され、前面キャビネット１５ａにはスピーカ１７の放音孔が形成されている。スタンド部１２は、表示部１１を支えるとともに、表示部１１を左右に上下に傾けることが可能な構成となっている。更に、表示部１１は、スタンド部１２から分離することができ、壁などに取り付けることができる構造となっている。
【００１１】
図２、図３に示すように、緩衝材１６は、前面キャビネット１５ａと後面キャビネット１５ｂの間に配置され、前面キャビネット１５ａと後面キャビネット１５ｂに挟持されている。挟持構造としては、例えば図４及び図５に示したようなものが考えられる。
【００１２】
挟持された状態において、緩衝材１６は、前面キャビネット１５ａと後面キャビネット１５ｂの全外周に当接密着し、さらに表示部１１のキャビネット１５ａ，１５ｂの側面から外側に突出するように形成されている。緩衝材１６の材料としては、エラストマー、シリコンゴム等の防水および緩衝機能を持つ素材であればよい。
【００１３】
緩衝材１６は、キャビネットの外側に突出する突起部１６ａと、断面が矩形でキャビネット１５の内部に収容される格納部１６ｂとからなり、キャビネット１５の外周部に当接する環形状を有する。突起部１６ａの側面には、側面を一周する溝１６ｃが形成されており、挟持状態において相対するキャビネット１５ａ，１５ｂの端面にはこの溝に嵌合する凸部が形成されている。
【００１４】
緩衝材１６の側面は、前面及び後面キャビネット１５ａ，１５ｂの外周端面に当接して密着する。突起部１６ａの先端部分は、キャビネット１５ａ，１５ｂの外側に突出している。
【００１５】
格納部１６ｂは、キャビネット内部に収容され、前面及び後面キャビネット１５ａ，１５ｂの内側外周面に格納部１６ｃの突起部形成側の面が当接する。キャビネット内部においては、緩衝材１６の格納場所を形成する収納部１８が形成され、そこに格納部１６ｂが収容される。
【００１６】
こうして、この緩衝材１６が前面及び後面キャビネット１５ａ，１５ｂの全外周面に当接することによって、水の入る隙間をなくし、防水効果を有することになる。また、スピーカの音量を大きくした場合、緩衝材が両キャビネットをしっかり押えて、振動を吸収するので、ビビリ音も防止することができ、画面に振動が伝達し、画面の揺れを起こすことも防止することができる。
さらに、キャビネットの全外周から外側へ突出する形状なので、液晶表示装置の側面をぶつけたときに緩衝材により衝撃を緩和することができる。
【００１７】
【発明の効果】
以上、説明したように本発明によれば、前面及び後面キャビネットの間に緩衝材を挟持することにより、防水とキャビネットの振動防止が可能となり、たとえば台所などでの使用も可能となり、またスピーカによるビビリ音や画面の揺れも抑えることができる。また、緩衝材がキャビネットの外周から外側に突出しているので、側面をぶつけても衝撃を吸収することができる。
【図面の簡単な説明】
【図１】本発明に係る液晶表示装置を示す正面図である。
【図２】この液晶表示装置を示す分解斜視図である。
【図３】この液晶表示装置を示す要部断面図である。
【図４】従来の液晶表示装置を示す分解斜視図である。
【図５】従来の液晶表示装置を示す要部断面図である。
【符号の説明】
１０  液晶表示装置
１１  表示部
１２  スタンド部
１３  スピーカ格納部
１４  液晶パネル
１５  キャビネット
１５ａ  前面キャビネット
１５ｂ  後面キャビネット
１６  緩衝材
１７  スピーカ
【図１】
2004219476.tif 000003
【図２】
2004219476.tif 000004
【図３】
2004219476.tif 000005
【図４】
2004219476.tif 000006
【図５】
2004219476.tif 000007